(57)【要約】【課題】  ボタン押下式防犯サムターンにおいて、ボタンが押下状態に保持されることがなく、常時防犯モードとなることを解除できる防犯サムターンを得る。【解決手段】  防犯サムターン１００において、錠箱と摘み４１との間に介装されレバーを揺動自在に支持する摘み杆と、摘み杆に相対回転不能に外挿され押下可能なボタン６３を有するモード切替リング６４と、摘み杆に対して相対回転可能に外挿される摘みリング４４と、摘みリング４４に設けられ一方の摘みリング４４の回転位置でレバーを回転規制位置に揺動させるとともに他方の摘みリング４４の回転位置でレバーを回転規制解除位置に揺動させる楕円状収容穴と、摘みリング４４に設けられ押下されたボタン６３に選択的に係合し摘みリング４４を一方の回転位置又は他方の回転位置に保持するボタン係合部とを設けた。【選択図】      図１
2006152662.tif 000002
【特許請求の範囲】
【請求項１】
揺動によって回転規制を解除するレバーが摘みに設けられた防犯サムターンであって、
錠箱と前記摘みとの間に介装され前記レバーを揺動自在に支持するとともに前記錠箱と前記摘みとの間で回転力を伝達する摘み杆と、
該摘み杆に相対回転不能に外挿され、押下可能なボタンを備えるモード切替リングと、
前記摘み杆に対して相対回転可能に外挿される摘みリングと、
該摘みリングに設けられ一方の該摘みリングの回転位置で前記レバーを回転規制位置に揺動させるとともに、他方の該摘みリングの回転位置で前記レバーを回転規制解除位置に揺動させる楕円状収容穴と、
前記摘みリングに設けられ、押下された前記ボタンに選択的に係合し前記摘みリングを前記一方の回転位置又は前記他方の回転位置に保持するボタン係合部と、
を具備したことを特徴とする防犯サムターン。
【請求項２】
前記摘みリングが、円筒状に形成されてなることを特徴とする請求項１記載の防犯サムターン。
【請求項３】
前記摘みリングの先端面に露出される回転姿勢表示手段が、前記摘み杆に相対回転不能に固定されたことを特徴とする請求項２記載の防犯サムターン。
【発明の詳細な説明】
【技術分野】
【０００１】
本発明は、扉の屋内面に突出させた摘みの回転を規制することで、錠箱に対する不正な解錠操作力の入力を阻止する防犯サムターンに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【０００４】
ところが、近年、ポスト口や、機械工具によって開けた小さな穴から棒や針金等を挿入し、回転操作の容易なサムターンに係止して回転させ、施錠装置を解錠する不正解錠が増えている。
【０００５】
このようなサムターンに針金等を係止して回転させることを防止するものに例えばボタン押下式防犯サムターンがある。このボタン押下式防犯サムターンは、扁平な摘みに押下自在なボタンが突設され、このボタンが押下されることで、摘みの回動規制が解除され、錠箱の施解錠機構に対する施解錠操作力の入力が可能となる。したがって、摘みを回すためにはボタンを押下しながら回転操作しなければならず、針金や棒等の不正治具を扉屋内側へ挿入することによる不正解錠（所謂サムターン回し）を行い難くして、防犯性を向上させることができた。
【特許文献１】特公平２−１５７１５号公報（第１図ｂ，第１図ｃ）
【発明の開示】
【発明が解決しようとする課題】
【０００６】
しかしながら、上記した従来のボタン押下式防犯サムターンは、ボタンを押し込むと同時に、サムターンに回動力を加えると、内部機構の遊びなどで、ボタンが押下状態のままとなることがある。これは所謂ピッキングが行われる際の現象と同様のものである。そのため、このような現象が生じ得ることを見込まれて、仮に表裏２つのボタンが設けられたボタン押下式防犯サムターンであっても、例えば一方の面のボタンを棒などにより押下し、同時にサムターンに回動力を加えることにより一方のボタンを押下状態のままに保持させ、次いで他方の面のボタンを棒などによって押下しながらサムターンに回転力を加えることで、サムターンが不正に解錠操作されてしまうことが危惧された。
【０００７】
また、上記した従来のボタン押下式防犯サムターンは、ボタンが突出状態となって常時防犯モードとなるため、施解錠操作の際には常にボタンの押下が必要となり、操作性の悪い問題があった。
【０００８】
本発明は上記状況に鑑みてなされたもので、ボタン押下式防犯サムターンにおいて、ボタンが押下状態に保持されることがなく、しかも、常時防犯モードとなることを解除できる防犯サムターンを提供し、もって、操作性、防犯性の一層の向上を図ることを目的とする。
【課題を解決するための手段】
【０００９】
次に、上記の課題を解決するための手段を、実施の形態に対応する図面を参照して説明する。
本発明の請求項１記載の防犯サムターン１００は、揺動によって回転規制を解除するレバー８２，８４が摘み４１に設けられた防犯サムターン１００であって、
錠箱と前記摘み４１との間に介装され前記レバー８２，８４を揺動自在に支持するとともに前記錠箱と前記摘み４１との間で回転力を伝達する摘み杆３８と、
該摘み杆３８に相対回転不能に外挿され、押下可能なボタン６３，６５を備えるモード切替リング６４と、
前記摘み杆３８に対して相対回転可能に外挿される摘みリング４４と、
該摘みリング４４に設けられ一方の該摘みリング４４の回転位置で前記レバー８２，８４を回転規制位置に揺動させるとともに、他方の該摘みリング４４の回転位置で前記レバー８２，８４を回転規制解除位置に揺動させる楕円状収容穴５８と、
前記摘みリング４４に設けられ、押下された前記ボタン６３，６５に選択的に係合し前記摘みリング４４を前記一方の回転位置又は前記他方の回転位置に保持するボタン係合部６２と、
を具備したことを特徴とする。
【００１０】
この防犯サムターン１００では、摘みリング４４がモード切替リング６４に対して他方の回転位置に配置されていると、摘みリング４４の楕円状収容穴５８によってレバー８２，８４が回転規制解除位置に揺動されることになり、摘み杆３８が回転可能な状態となる。一方、モード切替リング６４に設けられたボタン６３，６５が押下され、モード切替リング６４に対して摘みリング４４が一方の回転位置へと相対回転されると、摘みリング４４に設けられた楕円状収容穴５８によってレバー８２，８４が回転規制位置へと揺動され、摘み杆３８は、回転が不能となる。
【００１１】
請求項２記載の防犯サムターン１００は、前記摘みリング４４が、円筒状に形成されてなることを特徴とする。
【００１２】
この防犯サムターン１００では、摘みリング４４の外周が円筒状となり、外周面に引っ掛かり部がなくなる。
【００１３】
請求項３記載の防犯サムターン１００は、前記摘みリング４４の先端面に露出される回転姿勢表示手段５４が、前記摘み杆３８に相対回転不能に固定されたことを特徴とする。
【００１４】
この防犯サムターン１００では、摘み杆３８と一体回転する回転姿勢表示手段５４が摘みリング４４の先端面に露出され、錠箱の施錠状態が容易に視認可能となる。
【発明の効果】
【００１５】
本発明に係る請求項１記載の防犯サムターンによれば、摘みリングがモード切替リングに対して他方の回転位置に配置されていると、摘みリングの楕円状収容穴によってレバーが回転規制解除位置に揺動されることになり、摘み杆が回転可能な状態となる。したがって、摘みリングを摘み、施解錠のための回転操作力を加えれば、通常のサムターン摘みと同様、摘みリングとモード切替リングとが一体に回転し、回転操作力が摘み杆を介して錠箱へと伝達される。一方、モード切替リングに設けられたボタンが押下され、モード切替リングに対して摘みリングが一方の回転位置へと相対回転されると、摘みリングに設けられた楕円状収容穴によってレバーが回転規制位置へと揺動される。その結果、摘み杆は、回転が不能となる。摘み杆が回転不能となることで、摘み杆に相対回転不能に外挿されるモード切替リングも回転不能となり、モード切替リングにボタンを介して係合した摘みリングも回転不能となる。すなわち、モード切替リングのボタンを押下することにより目的に合わせて、モード切替リングに対し摘みリングを通常使用モード又は防犯モードへと切り替えが可能となり、通常モードでは摘みリングを回動することのみによる簡単なサムターン操作が可能となり、ボタン押下式防犯サムターンにおいての操作性を向上させることができるとともに、防犯モードでは摘みリングの回転操作を阻止し、摘みリングが不正回転されることを防止し、防犯性を向上させることができる。
【００１６】
請求項２記載の防犯サムターンによれば、摘みリングが円筒状となるので、摘みリングの外周面に、引っ掛かり部がなくなり、例えば先端を鉤状に曲げた針金や棒を使用した摘みリングの不正回転操作を防止することができる。
【００１７】
請求項３記載の防犯サムターンによれば、摘みリングの先端面に露出される回転姿勢表示手段が、摘み杆に相対回転不能に固定されたので、錠箱の施錠状態を容易に視認することができ、施錠状態にもかかわらず施錠操作しようとしたり、解錠状態にもかかわらず、解錠操作しようとしたりする誤操作をなくして、操作性を良好にすることができる。
【発明を実施するための最良の形態】
【００１８】
以下、本発明に係る防犯サムターンの好適な実施の形態を図面を参照して詳細に説明する。
図１は本発明に係る防犯サムターンの斜視図、図２は本発明に係る防犯サムターンの縦断面図、図３は本発明に係る防犯サムターンの水平断面図、図４は図１に示した防犯サムターンの基本構成部の分解斜視図である。
【００１９】
本実施の形態による防犯サムターン１００が取付けられる図示しない扉には、図示しない錠箱が設けられる。錠箱は、ラッチボルト、デッドボルト、及びこれらを扉の木口に設けられる化粧プレートから進退させる図示しない錠箱機構部を内設している。錠箱のデッドボルトは、扉の屋外側の面に設けたシリンダー錠を合鍵（キー）によって、又は扉の屋内側の面に設けられたサムターン摘み（以下、単に「摘み」と称す）を回動することによって扉の木口から進退可能となっている。防犯サムターン１００は、以下の構成によって、摘み操作を有効又は不能にするよう作動される。
【００２０】
扉又は錠箱には図２に示す固定筒２１が固定される。固定筒２１の軸線方向一端側の外周には一対の固定部２３，２３が突設され、固定部２３，２３は固定穴２５を有している。固定筒２１は、扉内に設けられた錠箱にこの固定穴２５を介して固定される。
【００２１】
固定筒２１の先端にはスペーサリング２６が外挿される。スペーサリング２６の外周には中央穴２７を有した飾り筒２９が被せられて固定される。この飾り筒２９の外周側先端部には、先端が平坦な円錐形状の化粧リング３１が外装される。化粧リング３１は、後端の折り曲げ部３１ａと、飾り筒２９の後端面との間に配設されたバネ３３の付勢力によって後端が扉の屋内面Ｄｓに押付けられる。
【００２２】
固定筒２１の内部にはコア軸３５が回転自在に内設され、コア軸３５は後部が錠箱からの図示しない入出力軸に連結されている。コア軸３５は、錠箱側に押さえリング３６が挟入され、この押さえリング３６が、固定筒２１の内周に形成された周溝２１ａに係止する固定リング３７によって固定筒２１からの脱落が防止される。コア軸３５は、先端面に突起板３９を突設している。従って、錠箱の図示しない入出力軸が回転されれば、突起板３９が回転される。
【００２３】
固定筒２１の後端側内部には、サムターン筒４３が回転自在に内設される。また、固定筒２１の先端側内部には、摘み４１の取り付けられる摘み杆３８が回転自在に内設される。摘み杆３８は、後述のレバーを揺動自在に支持するとともに、錠箱と摘み４１との間で回転力を伝達する。また、摘み杆３８は、サムターン筒４３に所定の遊び角を許容して連動回転する。この摘み杆３８の外周には直径方向両端で一対のストッパー退避凹部３８ａが形成され、ストッパー退避凹部３８ａは後述するストッパーを進入させて、ストッパーの係合を解除する方向の移動を可能にする。
【００２４】
摘み４１は、後述する円筒状の摘みリングを外挿してなることで図１に示すように円柱状となる。これにより、針金を摘み４１に引っ掛けようとしたり、棒を当てて押し回ししようとしても、角部がないため針金や棒が滑り易く、これら不正な回転操作力が印加され難くなっている。また、角部がなくなることで、手指によるフィット感も良好となる。
【００２５】
図４に示すように、サムターン筒４３の後部は筒状部４５となり、筒状部４５には直径方向の両端に開口する切欠４７が形成されている。筒状部４５の後端面からは後述の挟持板を支持する一対の軸４５ａ，４５ａが錠箱へ向かって突設されている。この筒状部４５の内部には、筒状部４５の軸線直交方向で摺動自在となる一対のストッパー４９，５１が内設されている。ストッパー４９には脚部係合部４９ａと、解除面４９ｂが形成されている。また、ストッパー５１には脚部係合部５１ａと、解除面５１ｂが形成されている。さらに、ストッパー４９，５１には、サムターン筒４３の半径方向外側に位置する係合部４９ｃ，５１ｃが設けられ、この係合部４９ｃ，５１ｃは上記の摘み杆３８に設けられたストッパー退避凹部３８ａに進入可能となっている。
【００２６】
一対のストッパー４９，５１は、後述のレバーに設けられた脚部が脚部係合部４９ａ，５１ａに係合されることで、筒状部４５の半径方向外側へ摺動され、切欠４７から突出し、固定筒２１に形成された係合溝５５に係合するようになっている。ストッパー４９，５１が係合溝５５に係合することで、サムターン筒４３の回動は不能となる。また、ストッパー４９，５１は、半径方向内側へ摺動されることで、係合部４９ｃ，５１ｃが係合溝５５から抜け、ストッパー退避凹部３８ａに進入することで、係合が解除されるようになっている。
【００２７】
固定筒２１の内部には、サムターン筒４３の軸線直交方向で摺動自在な一対の解除交差部材６７，６９が内設されている。解除交差部材６７は、縦軸６７ａの上端で摘み４１側へ向かって突出する一端部としてのストッパー挟持片６７ｂと、縦軸６７ａの下端で錠箱側へ向かって突出する他端部としての離間片６７ｃとを有している。また、解除交差部材６９は、縦軸６９ａの下端で摘み４１側へ向かって突出する一端部としてのストッパー挟持片６９ｂと、縦軸６７ａの上端で錠箱側へ向かって突出する他端部としての離間片６９ｃとを有している。
【００２８】
解除交差部材６７，６９は、ストッパー挟持片６７ｂ，６９ｂの間に挟入された圧縮バネ７１によって、離間されたストッパー挟持片６７ｂ，６９ｂ同士の間隙で、一対のストッパー４９，５１を挟むとともに、離間片６７ｃ，６９ｃ同士が接近方向に配置される。この離間片６７ｃ，６９ｃ同士の間には、後述の挟持板が配置される。
【００２９】
サムターン筒４３の軸４５ａ，４５ａには、二対の挟持板７３ａ，７３ｂ，７５ａ，７５ｂが揺動自在に支持されている。挟持板７３ａ，７３ｂ，７５ａ，７５ｂは、上記したコア軸３５の突起板３９を軸線直交方向の両側から挟持する。例えば挟持板７３ａ，７３ｂが右側から、挟持板７５ａ，７５ｂが左側からの如くである。突起板３９を挟持した挟持板７３ａ，７３ｂ，７５ａ，７５ｂは、シリンダー錠が合鍵によって回転され、これに伴ってコア軸３５が回転されることで、この突起板３９によって開脚される。挟持板７３ａ，７３ｂ，７５ａ，７５ｂは、この開脚動作によって、一対の解除交差部材６７，６９の他端部同士である離間片６７ｃ，６９ｃ同士を離反方向に移動して、一端部同士であるストッパー挟持片６７ｂ，６９ｂ同士で、一対のストッパー４９，５１を係合解除方向に摺動させる。
【００３０】
以上が、本実施の形態による防犯サムターン１００の前提となる基本構成である。これらの構成により、後述の作用の説明でも明らかとなるように、摘み４１が施錠状態において、扉屋外側のシリンダー錠に差し込まれた合鍵が回動操作され、錠箱を介してコア軸３５に回動力が入力されても、コア軸３５の回動が阻止されることがなく、コア軸３５、サムターン筒４３が回動可能となるようになっている。
【００３１】
次に、上記した基本構成を利用して、扉の屋内面に突出させた摘み４１の回転を規制することで、錠箱に対する不正な解錠操作力の入力を阻止する本実施の形態による防犯サムターンの要部構成を説明する。
図５は図１に示した摘みリングの正面側から見た分解斜視図、図６は図１に示した摘みリングの背面側から見た分解斜視図である。
摘み杆３８は、揺動によって摘み４１自身の回転規制を解除するレバー８２，８４を有している。レバー８２，８４は、錠箱の方向へ向かって突出する脚部６３ａ，６５ａを有している。この脚部６３ａ，６５ａは、上記したストッパー４９，５１の脚部係合部４９ａ，５１ａへと係合される。一対のレバー８２，８４は、固定杆４６，４６の間に配置され、固定杆４６，４６に挿通される軸８６を介して揺動自在に挟持されている。また、レバー８２，８４は、図２に示すように、レバー付勢バネ６６によって基端８２ａ，８４ａが離反方向へ配置されることで、脚部６３ａ，６５ａが水平に並ぶようになっている。そして、この脚部６３ａ，６５ａを脚部係合部４９ａ，５１ａに係合させた一対のストッパー４９，５１は、脚部６３ａ，６５ａがこのように水平配置されることで図２に示すように、筒状部４５から突出して係合溝５５に係合する。
【００３２】
一方、レバー８２，８４の基端８２ａ，８４ａが、レバー付勢バネ６６の付勢力に抗して接近方向へ押し込まれると、脚部６３ａ，６５ａが開く。これにより、一対のストッパー４９，５１を、筒状部４５の半径方向内側へ摺動させて、係合溝５５との係合を解除させるよう作動する。
【００３３】
摘み杆３８の固定杆４６，４６には、モード切替リング６４が相対回転不能に外挿されされる。つまり、モード切替リング６４は、摘み杆３８と一体回転するようになっている。モード切替リング６４の外周からは、直径方向両端でボタン６３，６５が突出されている。ボタン６３，６５は、それぞれがボタン付勢バネ７０，７０によってモード切替リング６４の半径方向外側へ突出して配置されている。つまり、ボタン６３，６５は、押下可能となっている。このボタン６３，６５には、屋内側へ突出する係止突起４２が突設されている。
【００３４】
摘み４１は、上記のモード切替リング６４と、摘みリング４４とから構成される。摘みリング４４は、摘み杆３８に対して相対回転可能に外挿される。すなわち、摘み杆３８の固定杆４６，４６は、モード切替リング６４の矩形穴６４ａから突出され、この固定杆４６，４６の先端には回転支持部材５７が、ねじ７６，７６を雌ねじ４８に螺合することによって相対回転不能に固定される。回転支持部材５７には直径方向に貫通するレバー表出孔５７ａ，５７ａが穿設され、レバー表出孔５７ａ，５７ａからはレバー８２，８４の基端８２ａ，８４ａが表出される。
【００３５】
摘みリング４４は、この回転支持部材５７の外周に回動自在に外挿される。摘みリング４４は、回転支持部材５７の先端面に、ねじ５０によって固定される押さえプレート５６によって、回転支持部材５７からの抜脱が規制される。この押さえプレート５６には、摘みリング４４の先端面に露出される回転姿勢表示手段５４が、係止爪５４ａを係止孔５６ａに係止して、摘み杆３８に相対回転不能に固定される。この押さえプレート５６には、摘み杆３８の回転方向を表す線状の印５４ｂが、刻印や成形、好ましくは表面に凹凸の規制されない印刷などによって設けられている。
【００３６】
図７は通常モードから防犯モードへの切り替え過程を表した動作説明図、図８は通常モードにおける摘みの回動操作過程を表した動作説明図である。
図７（ｃ）に示すように、摘みリング４４には楕円状収容穴５８が中央部に穿設されている。この楕円状収容穴５８は、図７（ｃ）〜（ｅ）に示すように、長径と短径とを有する略楕円形状で、長径両端側には段部が形成されて、９０度の範囲内で徐々に内径が変わるような湾曲線状とされており、短径となる小径部分ではレバー８２，８４を揺動させ挟持するようになり、長径となる大径部分ではレバー８２，８４を揺動しないようになっている。そして、この楕円状収容穴５８は図７（ｅ）に示す大径部分である一方の摘みリング４４の回転位置でレバー８２，８４を回転規制位置に揺動させるとともに、図７（ｃ）に示す小径部分で他方の摘みリング４４の回転位置でレバー８２，８４を回転規制解除位置に揺動させる。
【００３７】
つまり、図７（ａ），（ｃ）に示す摘みリング４４の回転位置では、レバー８２，８４の基端８２ａ，８４ａが楕円状収容穴５８の小径部に挟持され、レバー８２，８４の基端８２ａ，８４ａが閉じることで、摘み杆３８、サムターン筒４３の回転規制が解除されるようになっている。一方、図７（ｂ），（ｅ）に示す摘みリング４４の回転位置では、レバー８２，８４の基端８２ａ，８４ａが楕円状収容穴５８の大径部に配置され、レバー８２，８４の基端８２ａ，８４ａが開くことで、摘み杆３８、サムターン筒４３の回転が規制されるようになっている。
【００３８】
また、摘みリング４４にはボタン係合部６２が内周に形成され、ボタン係合部６２は押下されたボタン６３，６５に選択的に係合し、摘みリング４４を一方の回転位置又は他方の回転位置に保持する。ボタン係合部６２はは、摘みリング４４の内周に、９０度ごとに設けられた凹部６２ａ，６２ａ，６２ａ，６２ａからなる。この凹部６２ａ，６２ａ，６２ａ，６２ａにボタン６３，６５の係止突起４２が進入することで、モード切替リング６４と摘みリング４４との相対回転が規制される。
【００３９】
したがって、図７（ａ）に示す状態で、ボタン６３，６５が押下され、摘みリング４４が９０度回転されて図７（ｂ）の状態となると、図７（ｅ）に示すように、レバー８２，８４の基端８２ａ，８４ａが開き、サムターン筒４３、摘み杆３８及びモード切替リング６４の回転が規制され、このモード切替リング６４のボタン６３，６５に設けられた係止突起４２を介して凹部６２ａの嵌合する摘みリング４４も回転が規制されることとなる。つまり、摘みリング４４及びモード切替リング６４が共に回転不能なロック状態となる。
【００４０】
一方、図８（ａ）（ｃ）に示すように、摘みリング４４が、他方の回転位置でレバー８２，８４を回転規制解除位置に揺動させた状態では、サムターン筒４３、摘み杆３８及びモード切替リング６４が回転可能となり、このモード切替リング６４のボタン６３，６５に設けられた係止突起４２を介して凹部６２ａの嵌合する摘みリング４４も回転可能となり、図８（ｂ）（ｄ）に示すように、モード切替リング６４と摘みリング４４とが一体回転されて施解錠が可能となる。
【００４１】
なお、摘みリング４４には、回転姿勢を視認容易とする印６０の設けられることが好ましい。また、ボタン係合部６２は、９０度の間隔で設けられた凹部６２ａ，６２ａとの間に、ダミーの凹部６２ｂ，６２ｂを設けることで、不正操作を行い難くしたものであってもよい。
【００４２】
次に、上記の構成を有する防犯サムターン１００の作用を説明する。
図９は図２のＡ−Ａ断面における施錠状態を（ａ）、シリンダー錠回転状態を（ｂ）に表した動作説明図、図１０は図２のＢ−Ｂ断面における施錠状態を（ａ）、シリンダー錠回転状態を（ｂ）に表した動作説明図、図１１は図２のＢ−Ｂ断面における施錠状態を（ａ）、レバー基端押し込み状態を（ｂ）に表した動作説明図、図１２は図２のＣ−Ｃ断面における施錠状態を（ａ）、レバー基端を押し込まずに摘みを回転させた状態を（ｂ）に表した動作説明図である。
【００４３】
防犯サムターン１００は、モード切替リング６４に対して摘みリング４４を相対回転することにより、通常モードと、防犯モードとの切り替えが可能となる。すなわち、図８（ａ）（ｃ）に示すように、楕円状収容穴５８の小径部がレバー８２，８４を上下から挟む状態では、通常モードとなる。この状態では、レバー８２，８４の基端８２ａ，８４ａが押し込められると、脚部６３ａ，６５ａが水平に並んだ状態から開脚される。これにより、図１１（ｂ）に示すように、一対のストッパー４９，５１は、筒状部４５の半径方向内側へと摺動され、係合溝５５から抜脱される。
【００４４】
その結果、ストッパー４９，５１と係合溝５５との係合が解除され、サムターン筒４３は回転が可能となって、摘み４１がモード切替リング６４と一体となって回転される。通常モードにおいて、解錠状態から施錠状態にするには、単に摘みリング４４の印６０が図８（ｂ）に示すように、水平状態となるまで回転操作すればよい。すなわち、垂直状態から水平状態へと摘みリング４４が回転されれば、モード切替リング６４も回転し、両ボタン６３，６５も移動して、また回転支持部材５７も回転して印５４ｂが水平へと回転し、そしてその回転力がサムターン筒４３、解除交差部材６７，６９、挟持板７３ａ，７３ｂ，７５ａ，７５ｂを介してコア軸３５へ伝達され、施錠が完了する。
【００４５】
防犯サムターン１００の施錠状態を解除するには、摘みリング４４を印６０が垂直状態となるまで回転操作すればよい。このとき同時に印５４ｂも垂直状態へと回転する。この際、摘みリング４４の垂直位置では、固定筒２１の内周に係合溝５５が形成されていないため、ストッパー４９，５１は筒状部４５内に後退したままの状態となる。したがって、レバー８２，８４は、押下された状態のままに保持されることになる。
【００４６】
一方、ボタン６３，６５が押下（図７（ａ）参照）され、図７（ｂ）に示すように、モード切替リング６４に対して摘みリング４４の印６０が水平となるように相対回転されると、防犯モードとなる。防犯モードでは、図７（ｅ）に示すように、レバー８２，８４の基端８２ａ，８４ａが楕円状収容穴５８の大径部に配置されて開かれる。これにより、脚部６３ａ，６５ａが水平に並んだ状態となり、これにより、図１０（ａ）、図１１（ａ）に示すように、一対のストッパー４９，５１は、筒状部４５の半径方向外側へと摺動され、係合溝５５へ進入し、施錠状態となる。
【００４７】
この状態では、サムターン筒４３、摘み杆３８及びモード切替リング６４の回転が規制され、このモード切替リング６４のボタン６３，６５に設けられた係止突起４２を介して凹部６２ａの嵌合する摘みリング４４も回転が規制されることとなる。つまり、摘みリング４４及びモード切替リング６４が共に回転不能なロック状態となる。
【００４８】
防犯モードの施錠状態において、屋外側からシリンダー錠が合鍵によって操作されると、錠箱の入出力軸が回転し、その回転に連動してコア軸３５が回転される。コア軸３５が回転されると、突起板３９が傾き、これにより図９（ａ）から図９（ｂ）に示すように、挟持板７３ａ，７３ｂ，７５ａ，７５ｂが開脚する。挟持板７３ａ，７３ｂ，７５ａ，７５ｂが開脚されると、解除交差部材６７，６９の離間片６７ｃ，６９ｃが開かれ、その結果、解除交差部材６７，６９のストッパー挟持片６７ｂ，６９ｂが一対のストッパー４９，５１を挟持する方向に挟み込み、係合溝５５から抜脱される方向へストッパー４９，５１を移動させる。
【００４９】
これにより、防犯モードにおける施錠状態においても、外部からのシリンダー錠の操作によって、ストッパー４９，５１の規制が解除され、摘み４１が回転されることになる。
【００５０】
さらに、防犯モードにおいて、例えば挿入された針金や棒等によって、摘み４１がレバー８２，８４の押し込みより先に回されると、ストッパー退避凹部３８ａが、図１２（ａ）に示した状態から図１２（ｂ）に示した状態へと、ストッパー４９，５１から位置ずれし、ストッパー４９，５１がストッパー退避凹部３８ａに退避できなくなり、ストッパー４９，５１の解除が不能となる。この場合、レバー８２，８４は、摺動不能となったストッパー４９，５１によって押し込み不能となる。
【００５１】
また、モード切り替え時には、ボタン６３，６５の押し込みが容易となるように、ストッパー４９，５１がストッパー退避凹部３８ａへ進入可能に、摘み４１の位置が水平保持されることが好ましい。このような水平保持機構は、サムターン筒４３と摘み杆３８とにクリック機構を設けることで実現できる。すなわち、図１２に示すように、サムターン筒４３と摘み杆３８とは、所定の遊び角αを有して相対回転可能とする。この遊び角αは、サムターン筒４３と摘み杆３８との干渉部８１，８３によって形成される間隙８５によって設定することができる。
【００５２】
そして、サムターン筒４３側の干渉部８１に付勢バネ８７によって半径方向外側へ付勢されるクリックボール８９を設け、摘み杆３８側の干渉部８３に、このクリックボール８９の当接する凹溝９１を形成する。これにより、摘み４１が水平保持され、ストッパー退避凹部３８ａへストッパー４９，５１が進入可能となって、モード切り替え時でのボタン６３，６５の押し込みを容易にすることができる。
【００５３】
なお、解錠状態において、屋外側からシリンダー錠を介して施錠状態とする場合は、ストッパー４９，５１が係合状態となっていないので、通常の施錠操作となる。また、挟持板７３ａ，７３ｂ，７５ａ，７５ｂは、傾斜した突起板３９によって開脚された後には、サムターン筒４３と共に回転されることになる。
【００５４】
この防犯サムターン１００によれば、摘みリング４４がモード切替リング６４に対して他方の回転位置に配置されていると、摘みリング４４の楕円状収容穴５８によってレバー８２，８４が回転規制解除位置に揺動されることになり、摘み杆３８が回転可能な状態となる。したがって、摘みリング４４を摘み、施解錠のための回転操作力を加えれば、通常のサムターン摘みと同様、摘みリング４４とモード切替リング６４とが一体に回転し、回転操作力が摘み杆３８を介して錠箱へと伝達される。
【００５５】
一方、モード切替リング６４に設けられたボタン６３，６５が押下され、モード切替リング６４に対して摘みリング４４が一方の回転位置へと相対回転されると、摘みリング４４に設けられた楕円状収容穴５８によってレバー８２，８４が回転規制位置へと揺動される。その結果、摘み杆３８は、回転が不能となる。摘み杆３８が回転不能となることで、摘み杆３８に相対回転不能に外挿されるモード切替リング６４も回転不能となり、モード切替リング６４にボタン６３，６５を介して係合した摘みリング４４も回転不能となる。
【００５６】
すなわち、モード切替リング６４のボタン６３，６５を押下することにより目的に合わせて、モード切替リング６４に対し摘みリング４４を通常使用モード又は防犯モードへと切り替えが可能となり、通常モードでは摘みリング４４を回動することのみによる簡単なサムターン操作が可能となり、ボタン押下式防犯サムターンにおいての操作性を向上させることができるとともに、防犯モードでは摘みリング４４の回転操作を阻止し、摘みリング４４が不正回転されることを防止し、防犯性を向上させることができる。
【００５７】
そして、摘みリング４４の先端面に露出される回転姿勢表示手段５４が、摘み杆３８に相対回転不能に固定されたので、錠箱の施錠状態を容易に視認することができ、施錠状態にもかかわらず施錠操作しようとしたり、解錠状態にもかかわらず、解錠操作しようとしたりする誤操作をなくして、操作性を良好にすることができる。
【００５８】
また、この防犯サムターン１００によれば、二対の挟持板７３ａ，７３ｂ，７５ａ，７５ｂで、コア軸３５の突起板３９を軸線直交方向の両側から挟持するので、コア軸３５の右回転、左回転の何れの回転でも略等しいモーメントで挟持板３９を開脚でき、シリンダー錠の左右勝手に関わらずスムースな合鍵操作を可能にすることができる。
【００５９】
なお、上述した実施の形態では、摘み４１の形状を円筒状に形成した例について述べたが、これに限ることはなく、楕円状に中途部分が膨出形状とされている形状としてもよく、あるいは錐状や多角柱状などの形状としてもよい。
【図面の簡単な説明】
【００６０】
【図１】本発明に係る防犯サムターンの斜視図である。
【図２】本発明に係る防犯サムターンの縦断面図である。
【図３】本発明に係る防犯サムターンの水平断面図である。
【図４】図１に示した防犯サムターンの基本構成部の分解斜視図である。
【図５】図１に示した摘みリングの正面側から見た分解斜視図である。
【図６】図１に示した摘みリングの背面側から見た分解斜視図である。
【図７】通常モードから防犯モードへの切り替え過程を表した動作説明図である。
【図８】通常モードにおける摘みの回動操作過程を表した動作説明図である。
【図９】図２のＡ−Ａ断面における施錠状態を（ａ）、シリンダー錠回転状態を（ｂ）に表した動作説明図である。
【図１０】図２のＢ−Ｂ断面における施錠状態を（ａ）、シリンダー錠回転状態を（ｂ）に表した動作説明図である。
【図１１】図２のＢ−Ｂ断面における施錠状態を（ａ）、レバー基端押し込み状態を（ｂ）に表した動作説明図である。
【図１２】図２のＣ−Ｃ断面における施錠状態を（ａ）、レバー基端を押し込まずに摘みを回転させた状態を（ｂ）に表した動作説明図である。
【符号の説明】
【００６１】
３８…摘み杆
４１…摘み
４４…摘みリング
５４…回転姿勢表示手段
５８…楕円状収容穴
６２…ボタン係合部
６３，６５…ボタン
６４…モード切替リング
８２，８４…レバー
１００…防犯サムターン
【図１】
2006152662.tif 000003
【図２】
2006152662.tif 000004
【図３】
2006152662.tif 000005
【図４】
2006152662.tif 000006
【図５】
2006152662.tif 000007
【図６】
2006152662.tif 000008
【図７】
2006152662.tif 000009
【図８】
2006152662.tif 000010
【図９】
2006152662.tif 000011
【図１０】
2006152662.tif 000012
【図１１】
2006152662.tif 000013
【図１２】
2006152662.tif 000014